(57)【要約】【課題】見栄えのよい上に専有空間を小さくでき、長期に亘って免震機能を発揮し得る上に、上部構造物を適切に免震支持し得る免震支持装置を提供することにある。【解決手段】免震支持装置１は、床２及び中間基台３間に配された下側免震支持装置４を具備しており、下側免震支持装置４は、下支持機構１４及び上支持機構１８と、中間支持機構２１及び２４と、滑り上面１２及び１３からの中間滑り下面１９及び２２の離脱並びに滑り下面１６及び１７からの中間滑り上面２０及び２３の離脱を阻止する一方、滑り上面１２及び１３に対する中間滑り下面１９及び２２の方向Ｂ及びＡに関する滑り並びに滑り下面１６及び１７に対する中間滑り上面２０及び２３の方向Ｂに関する滑りを生起させる阻止及び生起機構２５とを具備している。【選択図】図１
2019019933.tif 000002
【特許請求の範囲】
【請求項１】
水平方向において中央部から互いに逆方向に且つ下り勾配の傾斜をもって伸びる一対の滑り上面を有する下支持機構と、水平方向に対して直交する鉛直方向において当該一対の滑り上面の夫々に対面していると共に水平方向において中央部から互いに逆方向に且つ上り勾配の傾斜をもって伸びる一対の滑り下面を有する上支持機構と、一対の滑り上面のうちの一方の滑り上面に滑り移動自在に接触する第一の中間滑り下面及び当該一方の滑り上面に対して鉛直方向において対面している一対の滑り下面のうちの一方の滑り下面に滑り移動自在に接触する第一の中間滑り上面を有する第一の中間支持機構と、一対の滑り上面のうちの他方の滑り上面に滑り移動自在に接触する第二の中間滑り下面及び当該他方の滑り上面に対して鉛直方向において対面している一対の滑り下面のうちの他方の滑り下面に滑り移動自在に接触する第二の中間滑り上面を有する第二の中間支持機構と、一対の滑り上面及び一対の滑り下面の伸びる方向に関する上支持機構に対する下支持機構の相対的変位において、一対の滑り上面及び一対の滑り下面の伸びる方向に関する一対の滑り上面のうちの一方の滑り上面からの第一の中間滑り下面の離脱及び一対の滑り上面のうちの他方の滑り上面からの第二の中間滑り下面の離脱を阻止する一方、一対の滑り上面及び一対の滑り下面の伸びる方向に関する一対の滑り上面のうちの一方の滑り上面に対する第一の中間滑り下面の滑り及び一対の滑り上面のうちの他方の滑り上面に対する第二の中間滑り下面の滑りを生起させる阻止及び生起機構とを具備しており、第一の中間支持機構と第二の中間支持機構とは、互いに協働して下支持機構に対して上支持機構を水平方向及び鉛直方向に移動自在に支持するようになっている免震支持装置。
【請求項２】
下支持機構は、一対の滑り上面の伸びる方向に対して直交する方向において互いに離間して且つ互いに平行に伸びる第一及び第二の下軌条部材を具備しており、上支持機構は、一対の滑り下面の伸びる方向に対して直交する方向において互いに離間して且つ互いに平行に伸びる第一及び第二の上軌条部材を具備しており、一対の滑り上面は、第一及び第二の下軌条部材の夫々の上面に設けられており、一対の滑り下面は、第一及び第二の上軌条部材の夫々の下面に設けられている請求項１に記載の免震支持装置。
【請求項３】
第一の中間支持機構は、第一の下軌条部材の上面に設けられた一対の滑り上面のうちの一方の滑り上面に当該一方の滑り上面の伸びる方向に関して滑り移動自在に接触する一方、当該一方の滑り上面に対して鉛直方向において対面していると共に第一の上軌条部材の下面に設けられた一対の滑り下面のうちの一方の滑り下面に当該一方の滑り下面の伸びる方向に関して滑り移動自在に接触する第一の摺動子と、第二の下軌条部材の上面に設けられた一対の滑り上面のうちの一方の滑り上面に当該一方の滑り上面の伸びる方向に関して滑り移動自在に接触する一方、当該一方の滑り上面に対して鉛直方向において対面していると共に第二の上軌条部材の下面に設けられた一対の滑り下面のうちの一方の滑り下面に当該一方の滑り下面の伸びる方向に関して滑り移動自在に接触する第二の摺動子とを具備しており、第二の中間支持機構は、第一の下軌条部材の上面に設けられた一対の滑り上面のうちの他方の滑り上面に当該他方の滑り上面の伸びる方向に関して滑り移動自在に接触する一方、当該他方の滑り上面に対して鉛直方向において対面していると共に第一の上軌条部材の下面に設けられた一対の滑り下面のうちの他方の滑り下面に当該他方の滑り下面の伸びる方向に関して滑り移動自在に接触する第三の摺動子と、第二の下軌条部材の上面に設けられた一対の滑り上面のうちの他方の滑り上面に当該他方の滑り上面の伸びる方向に関して滑り移動自在に接触する一方、当該他方の滑り上面に対して鉛直方向において対面していると共に第二の上軌条部材の下面に設けられた一対の滑り下面のうちの他方の滑り下面に当該他方の滑り下面の伸びる方向に関して滑り移動自在に接触する第四の摺動子とを具備している請求項２に記載の免震支持装置。
【発明の詳細な説明】
【技術分野】
【０００１】
本発明は、地震、交通振動等による下部構造物の振動の上部構造物への伝達を低減して、上部構造物の倒壊等を防止すると共に下部構造物に対して上部構造物を支持するべく、下部構造物と上部構造物との間に配される免震支持装置に関する。
【背景技術】
【０００２】
凹球面状の摺動面を有した下沓を下部構造物に、上部構造物には同じく凹球面状の摺動面を有した上沓を夫々取付けて、下沓と上沓との間に摺動体を各摺動面に摺動自在に接触させて介在させた免震支持装置は、従来知られている。
【先行技術文献】
【特許文献】
【０００３】
【特許文献１】特開２０1４−１２９８５１号公報
【発明の概要】
【発明が解決しようとする課題】
【０００４】
従来では、上部構造物と下部構造物との間には、通常、一個の斯かる免震支持装置が配されているが、例えば、大きな矩形底面を有する大荷重の上部構造物を当該一個の免震支持装置で免震支持することが困難となり、斯かる上部構造物を免震支持する場合、上部構造物の矩形底面の四隅下の夫々に免震支持装置を設置することになる。
【０００５】
しかしながら、斯かる免震支持装置の単なる設置では、一応、大きな矩形底面を有する大荷重の上部構造物を免震支持することができるが、下部構造物に対して上部構造物が水平方向に振動しない場合にも、言い換えると、地震が生じていない場合にも、上部構造物の矩形底面の四隅下の夫々から矩形底面外に免震支持装置がはみ出し、見栄えが悪い上に専有空間が大きくなり、加えて、矩形底面外にはみ出した下沓の摺動面に異物等が溜り易く、実際の地震で正常に免震機能を発揮し得ない虞が生じ、斯かる不都合を解消するべく、上部構造物の矩形底面の四隅下の夫々から矩形底面外に免震支持装置がはみ出さないように、当該矩形底面で隠されるようにして上部構造物の矩形底面下に従来の免震支持装置を設置すると、摺動体が矩形底面の周縁から外れることになり、矩形底面の周縁での上部構造物に対する荷重支持が不安定となり、上部構造物に撓みが生じて上部構造物を適切に免震支持し得ず、場合により、上部構造物の周縁に意図しない下方向の外力が加わると、上部構造物が傾いたり、転倒したりする虞が有る。
【０００６】
斯かる不都合は、矩形底面を有した上部構造物に限らず、大きな円形底面を有する大荷重の上部構造物においても生じ得る。
【０００７】
本発明は、前記諸点に鑑みてなされたものであって、その目的とするところは、見栄えのよい上に専有空間を小さくでき、長期に亘って免震機能を発揮し得る上に、上部構造物を適切に免震支持し得る免震支持装置を提供することにある。
【課題を解決するための手段】
【０００８】
本発明の免震支持装置は、水平方向において中央部から互いに逆方向に且つ下り勾配の傾斜をもって伸びる一対の滑り上面を有する下支持機構と、水平方向に対して直交する鉛直方向において当該一対の滑り上面の夫々に対面していると共に水平方向において中央部から互いに逆方向に且つ上り勾配の傾斜をもって伸びる一対の滑り下面を有する上支持機構と、一対の滑り上面のうちの一方の滑り上面に滑り移動自在に接触する第一の中間滑り下面及び当該一方の滑り上面に対して鉛直方向において対面している一対の滑り下面のうちの一方の滑り下面に滑り移動自在に接触する第一の中間滑り上面を有する第一の中間支持機構と、一対の滑り上面のうちの他方の滑り上面に滑り移動自在に接触する第二の中間滑り下面及び当該他方の滑り上面に対して鉛直方向において対面している一対の滑り下面のうちの他方の滑り下面に滑り移動自在に接触する第二の中間滑り上面を有する第二の中間支持機構と、一対の滑り上面及び一対の滑り下面の伸びる方向に関する上支持機構に対する下支持機構の相対的変位において、一対の滑り上面及び一対の滑り下面の伸びる方向に関する一対の滑り上面のうちの一方の滑り上面からの第一の中間滑り下面の離脱及び一対の滑り上面のうちの他方の滑り上面からの第二の中間滑り下面の離脱を阻止する一方、一対の滑り上面及び一対の滑り下面の伸びる方向に関する一対の滑り上面のうちの一方の滑り上面に対する第一の中間滑り下面の滑り及び一対の滑り上面のうちの他方の滑り上面に対する第二の中間滑り下面の滑りを生起させる阻止及び生起機構とを具備しており、第一の中間支持機構と第二の中間支持機構とは、互いに協働して下支持機構に対して上支持機構を水平方向及び鉛直方向に移動自在に支持するようになっている。
【０００９】
斯かる本発明の免震支持装置によれば、一対の滑り上面を有する下支持機構と、一対の滑り下面を有する上支持機構と、一対の滑り上面の夫々に滑り移動自在に接触する第一及び第二の中間滑り下面を有する一方、一対の滑り下面の夫々に滑り移動自在に接触する第一及び第二の中間滑り上面を有する第一及び第二の中間支持機構とを具備している結果、上部構造物の下面及び下面の下方に、下支持機構と上支持機構と中間支持機構とを配置でき、而して、見栄えのよい上に専有空間を小さくでき、長期に亘って免震機能を発揮し得て上部構造物を適切に免震支持し得る。
【００１０】
本発明の免震支持装置においては、好ましい例では、下支持機構は、一対の滑り上面の伸びる方向に対して直交する方向において互いに離間して且つ互いに平行に伸びる第一及び第二の下軌条部材を具備しており、上支持機構は、一対の滑り下面の伸びる方向に対して直交する方向において互いに離間して且つ互いに平行に伸びる第一及び第二の上軌条部材を具備しており、一対の滑り上面は、第一及び第二の下軌条部材の夫々の上面に設けられており、一対の滑り下面は、第一及び第二の上軌条部材の夫々の下面に設けられている。
【００１１】
本発明による免震支持装置の他の好ましい例において、第一の中間支持機構は、第一の下軌条部材の上面に設けられた一対の滑り上面のうちの一方の滑り上面に当該一方の滑り上面の伸びる方向に関して滑り移動自在に接触する一方、当該一方の滑り上面に対して鉛直方向において対面していると共に第一の上軌条部材の下面に設けられた一対の滑り下面のうちの一方の滑り下面に当該一方の滑り下面の伸びる方向に関して滑り移動自在に接触する第一の摺動子と、第二の下軌条部材の上面に設けられた一対の滑り上面のうちの一方の滑り上面に当該一方の滑り上面の伸びる方向に関して滑り移動自在に接触する一方、当該一方の滑り上面に対して鉛直方向において対面していると共に第二の上軌条部材の下面に設けられた一対の滑り下面のうちの一方の滑り下面に当該一方の滑り下面の伸びる方向に関して滑り移動自在に接触する第二の摺動子とを具備しており、第二の中間支持機構は、第一の下軌条部材の上面に設けられた一対の滑り上面のうちの他方の滑り上面に当該他方の滑り上面の伸びる方向に関して滑り移動自在に接触する一方、当該他方の滑り上面に対して鉛直方向において対面していると共に第一の上軌条部材の下面に設けられた一対の滑り下面のうちの他方の滑り下面に当該他方の滑り下面の伸びる方向に関して滑り移動自在に接触する第三の摺動子と、第二の下軌条部材の上面に設けられた一対の滑り上面のうちの他方の滑り上面に当該他方の滑り上面の伸びる方向に関して滑り移動自在に接触する一方、当該他方の滑り上面に対して鉛直方向において対面していると共に第二の上軌条部材の下面に設けられた一対の滑り下面のうちの他方の滑り下面に当該他方の滑り下面の伸びる方向に関して滑り移動自在に接触する第四の摺動子とを具備している。
【００１２】
本発明の免震支持装置において、一対の滑り上面は、中央部から互いに同一の俯角を有して互いに反対方向に伸びた平面であってもよく、一対の滑り下面は、中央部から互いに同一の仰角を有して互いに反対方向に伸びた平面であってもよく、中間滑り下面は、一対の滑り上面の俯角と同一の傾斜角を有した平面であってもよく、そして、中間滑り上面は、一対の滑り下面の仰角と同一の傾斜角を有した平面であってもよい。
【００１３】
本発明の免震支持装置において、下部構造物としては、基礎、橋脚、橋台又は床等を例示し得、上部構造物としては、建物躯体、橋桁、工場内の旋盤等の機械台又は建物内の収納庫等を例示し得る。
【００１４】
本発明の免震支持装置において、一対の滑り上面、一対の滑り下面、第一及び第二の中間滑り下面並びに第一及び第二の中間滑り上面の夫々は、耐荷重性能に優れた上に、滑りにおいて低い摩擦抵抗を呈するように低摩擦係数をもった材料、例えばポリテトラフルオロエチレン等の材料から形成されているとよく、また、トリガ特性を呈するように静摩擦抵抗と動摩擦抵抗とが有意に異なる材料から形成されていてもよい。
【発明の効果】
【００１５】
本発明によれば、見栄えのよい上に専有空間を小さくでき、長期に亘って免震機能を発揮し得て上部構造物を適切に免震支持し得る免震支持装置を提供することができる。
【図面の簡単な説明】
【００１６】
【図１】図１は、本発明の実施の形態の好ましい具体例の図２に示すＩ−Ｉ線矢視説明図（当該具体例の正面図）である。
【図２】図２は、図１に示す具体例の図１に示すＩＩ−ＩＩ線矢視説明図（当該具体例の左側面図）である。
【図３】図３は、図１に示す具体例の図２に示すＩＩＩ−ＩＩＩ線矢視説明図（当該具体例の背面図）である。
【図４】図４は、図１に示す具体例の図１に示すＩＶ−ＩＶ線矢視説明図（当該具体例の右側面図）である。
【図５】図５は、図１に示す具体例の左側面の一部拡大説明図である。
【図６】図６は、図１に示す具体例の正面の一部拡大説明図である。
【図７】図７は、図１に示す具体例の摺動子の図８に示すＶＩＩ−ＶＩＩ線矢視断面説明図である。
【図８】図８は、図１に示す具体例の摺動子の図７に示すＶＩＩＩ−ＶＩＩＩ線矢視断面説明図である。
【図９】図９は、図１に示す具体例の動作説明図である。
【図１０】図１０は、図１に示す具体例の動作説明図である。
【発明を実施するための形態】
【００１７】
次に、本発明の実施の形態の好ましい具体例を図面を参照して詳細に説明する。本発明は、これら具体例に何等限定されないのである。
【００１８】
図１から図８において、本例の免震支持装置１は、水平方向Ｈに対して直交する鉛直方向Ｖにおいて下部構造物としての建物の床２及び床２からみて上部構造物としての中間基台３間に配された下側免震支持装置４と、同じく鉛直方向Ｖにおいて床２及び中間基台３からみて上部構造物としての旋盤等の工作機械台（ベッド）５及び当該機械台５からみて下部構造物としての中間基台３間に配された上側免震支持装置６とを具備している。
【００１９】
下側免震支持装置４は、水平方向Ｈにおいて中央部としての中央板部１１から互いに逆方向（反対方向）、即ち、方向Ａ及びＢに且つ互いに同じ下り勾配の傾斜、即ち、互いに同じ傾斜角（俯角）αの傾斜をもって伸びる平面からなる一対の滑り上面１２及び１３を有する下支持機構１４と、鉛直方向Ｖにおいて当該一対の滑り上面１２及び１３の夫々に対面していると共に水平方向Ｈにおいて中央部としての中央板部１５から互いに逆方向（反対方向）、即ち、方向Ａ及びＢに且つ互いに同じ上り勾配、即ち、互いに同じ傾斜角（仰角）αの傾斜をもって伸びる平面からなる一対の滑り下面１６及び１７を有する上支持機構１８と、一対の滑り上面１２及び１３のうちの一方の滑り上面１２に方向Ａ及びＢに滑り移動自在に接触する平面からなると共に一対の滑り上面１２及び１３の傾斜角（俯角）αと同一の傾斜角を有した中間滑り下面１９及び当該一方の滑り上面１２に対して鉛直方向Ｖにおいて対面している一対の滑り下面１６及び１７のうちの一方の滑り下面１６に方向Ａ及びＢに滑り移動自在に接触する平面からなると共に一対の滑り下面１６及び１７の傾斜角（仰角）αと同一の傾斜角を有した中間滑り上面２０を有する中間支持機構２１と、一対の滑り上面１２及び１３のうちの他方の滑り上面１３に方向Ａ及びＢに滑り移動自在に接触する平面からなると共に一対の滑り上面１２及び１３の傾斜角（俯角）αと同一の傾斜角を有した中間滑り下面２２及び当該他方の滑り上面１３に対して鉛直方向Ｖにおいて対面している一対の滑り下面１６及び１７のうちの他方の滑り下面１７に方向Ａ及びＢに滑り移動自在に接触する平面からなると共に一対の滑り下面１６及び１７の傾斜角（仰角）αと同一の傾斜角を有した中間滑り上面２３を有する中間支持機構２４と、一対の滑り上面１２及び１３並びに一対の滑り下面１６及び１７の伸びる方向Ａ及びＢに関する上支持機構１８に対する下支持機構１４の相対的変位において、一対の滑り上面１２及び１３のうちの一方の滑り上面１２からの中間滑り下面１９の方向Ａに関する離脱及び一対の滑り上面１２及び１３のうちの他方の滑り上面１３からの中間滑り下面２２の方向Ｂに関する離脱並びに一対の滑り下面１６及び１７のうちの一方の滑り下面１６からの中間滑り上面２０の方向Ａに関する離脱及び一対の滑り下面１６及び１７のうちの他方の滑り下面１７からの中間滑り上面２３の方向Ｂに関する離脱を阻止する一方、一対の滑り上面１２及び１３のうちの一方の滑り上面１２に対する中間滑り下面１９の方向Ｂに関する滑り及び一対の滑り上面１２及び１３のうちの他方の滑り上面１３に対する中間滑り下面２２の方向Ａに関する滑り並びに一対の滑り下面１６及び１７のうちの一方の滑り下面１６に対する中間滑り上面２０の方向Ｂに関する滑り及び一対の滑り下面１６及び１７うちの他方の滑り下面１７に対する中間滑り上面２３の方向Ａに関する滑りを生起させる阻止及び生起機構２５とを具備している。
【００２０】
中間滑り下面１９及び２２の夫々は、方向Ａ及びＢに向かって互いに同じ下り勾配、即ち、互いに同じ傾斜角（俯角）αの傾斜をもって伸びており、中間滑り上面２０及び２３の夫々は、方向Ｂ及びＡに向かって互いに同じ上り勾配、即ち、互いに同じ傾斜角（仰角）αの傾斜をもって伸びている。
【００２１】
上側免震支持装置６は、水平方向Ｈにおいて方向Ａ及びＢに直交する方向であって中央部としての中央板部３１から互いに逆方向、即ち、方向Ｃ及びＤに且つ互いに同じ下り勾配の傾斜、即ち、互いに同じ傾斜角（俯角）β（＝α）の傾斜をもって伸びる平面からなる一対の滑り上面３２及び３３を有する下支持機構３４と、鉛直方向Ｖにおいて当該一対の滑り上面３２及び３３の夫々に対面していると共に水平方向Ｈにおいて中央部としての中央板部３５から互いに逆方向、即ち、方向Ｃ及びＤに且つ互いに同じ上り勾配、即ち、互いに同じ傾斜角（仰角）β（＝α）の傾斜をもって伸びる平面からなる一対の滑り下面３６及び３７を有する上支持機構３８と、一対の滑り上面３２及び３３のうちの一方の滑り上面３２に方向Ｃ及びＤに滑り移動自在に接触する平面からなる中間滑り下面３９及び当該一方の滑り上面３２に対して鉛直方向Ｖにおいて対面している一対の滑り下面３６及び３７のうちの一方の滑り下面３６に方向Ｃ及びＤに滑り移動自在に接触する平面からなる中間滑り上面４０を有する中間支持機構４１と、一対の滑り上面３２及び３３のうちの他方の滑り上面３３に方向Ｃ及びＤに滑り移動自在に接触する平面からなる中間滑り下面４２及び当該他方の滑り上面３３に対して鉛直方向Ｖにおいて対面している一対の滑り下面３６及び３７のうちの他方の滑り下面３７に方向Ｃ及びＤに滑り移動自在に接触する平面からなる中間滑り上面４３を有する中間支持機構４４と、一対の滑り上面３２及び３３並びに一対の滑り下面３６及び３７の伸びる方向Ｃ及びＤに関する上支持機構３８に対する下支持機構３４の相対的変位において、一対の滑り上面３２及び３３のうちの一方の滑り上面３２からの中間滑り下面３９の方向Ｃに関する離脱及び一対の滑り上面３２及び３３のうちの他方の滑り上面３３からの中間滑り下面４２の方向Ｄに関する離脱並びに中間滑り上面４０からの一対の滑り下面３６及び３７のうちの一方の滑り下面３６の方向Ｄに関する離脱及び中間滑り上面４３からの一対の滑り下面３６及び３７のうちの他方の滑り下面３７の方向Ｃに関する離脱を阻止する一方、一対の滑り上面３２及び３３のうちの一方の滑り上面３２に対する中間滑り下面３９の方向Ｄに関する滑り及び一対の滑り上面３２及び３３のうちの他方の滑り上面３３に対する中間滑り下面４２の方向Ａに関する滑り並びに一対の滑り下面３６及び３７のうちの一方の滑り下面３６に対する中間滑り上面４０の方向Ｄに関する滑り及び一対の滑り下面３６及び３７うちの他方の滑り下面３７に対する中間滑り上面４３の方向Ｃに関する滑りを生起させる阻止及び生起機構４５とを具備している。
【００２２】
中間滑り下面３９及び４２の夫々は、方向Ｃ及びＤに向かって互いに同じ上り勾配、即ち、互いに同じ傾斜角（仰角）β（＝β）の傾斜をもって伸びており、中間滑り上面４０及び４３の夫々は、方向Ｃ及びＤに向かって互いに同じ下り勾配、即ち、互いに同じ傾斜角（俯角）β（＝β）の傾斜をもって伸びている。
【００２３】
以上のように、下側免震支持装置４と上側免震支持装置６とは、下側免震支持装置４が床２及び中間基台３間に配されている一方、上側免震支持装置６が中間基台３及び機械台５間に配されている点と、滑り上面１２及び１３、滑り下面１６及び１７、中間滑り下面１９及び２２並びに中間滑り上面２０及び２３が方向Ａ及びＢに伸びる一方、滑り上面３２及び３３、滑り下面３６及び３７、中間滑り下面３９及び４２並びに中間滑り上面４０及び４３が方向Ａ及びＢに対して直交する方向Ｃ及びＤに伸びる点とを除いて、互いに実質的に同一であるため、以下、下側免震支持装置４について詳細に説明し、上側免震支持装置６については、必要に応じて言及する。
【００２４】
なお、本例では、下支持機構１４の一対の滑り上面１２及び１３並びに中間滑り下面１９及び２２の傾斜角αと、上支持機構１８の一対の滑り下面１６及び１７並びに中間滑り上面２０及び２３の傾斜角αとは、互いに等しく、下支持機構３４の一対の滑り上面３２及び３３並びに中間滑り下面３９及び４２の傾斜角βと上支持機構３８の一対の滑り下面３６及び３７並びに中間滑り上面４０及び４３の傾斜角βとは、互いに等しく、加えて、これら傾斜角αと傾斜角βとは、互いに等しい（α＝β）が、これに代えて、これら傾斜角αと傾斜角βとが異なっていてもよく、例えば、傾斜角αよりも傾斜角βが大きく（α＜β）てもよく、逆に、傾斜角αよりも傾斜角βが小さく（α＞β）てもよく、これら傾斜角αと傾斜角βとを異ならせることにより、下側免震支持装置４と上側免震支持装置６との免震機能を互いに異ならせることができる。
【００２５】
下支持機構１４は、一対の滑り上面１２及び１３の伸びる方向Ａ及びＢに対して直交する方向Ｃ及びＤにおいて互いに離間して且つ互いに平行に伸びる一対の下軌条部材６１及び６２を具備しており、上支持機構１８は、一対の滑り下面１６及び１７の伸びる方向Ａ及びＢに対して直交する方向Ｃ及びＤにおいて互いに離間して且つ互いに平行に伸びる一対の上軌条部材６３及び６４を具備しており、一対の滑り上面１２及び１３は、下軌条部材６１及び６２の夫々の上面６５及び６６に設けられており、一対の滑り下面１６及び１７は、上軌条部材６３及び６４の夫々の下面６７及び６８に設けられている。
【００２６】
下軌条部材６１及び６２は、互いに同一に形成されており、上軌条部材６３及び６４もまた、互いに同一に形成されており、一対の滑り上面１２及び１３は、互いに同一の傾斜角αを有した平面であり、一対の滑り下面１６及び１７は、互いに同一の傾斜角αを有した平面であり、一対の滑り上面１２及び１３並びに一対の滑り下面１６及び１７は、互いに同一の傾斜角αを有した平面であり、中間滑り下面１９及び２２は、互いに同一の傾斜角αを有した平面であり、中間滑り上面２０及び２３は、互いに同一の傾斜角αを有した平面であり、中間滑り下面１９及び２２並びに中間滑り上面２０及び２３は、一対の滑り上面１２及び１３並びに一対の滑り下面１６及び１７の傾斜角αと同一の傾斜角αを有した平面である。
【００２７】
中央板部１１に加えて、当該中央板部１１を方向Ａ及びＢに関して挟んで設けられていると共に滑り上面１２及び１３を夫々有した一対の下軌条板部７１及び７２を具備している下軌条部材６１及び６２の夫々は、方向Ａ及びＢに伸びるその下面７３で床２の上面７４にボルト、溶接等により固定されており、中央板部１５に加えて、当該中央板部１５を方向Ａ及びＢに関して挟んで設けられていると共に滑り下面１６及び１７を夫々有した一対の上軌条板部７５及び７６を具備している上軌条部材６３及び６４の夫々は、方向Ａ及びＢに伸びるその上面７７で中間基台３の下面７８にボルト、溶接等により固定されている。
【００２８】
中間支持機構２１は、下軌条部材６１の上面６５に設けられた一対の滑り上面１２及び１３のうちの一方の滑り上面１２に方向Ａ及びＢに滑り移動自在に接触する中間滑り下面１９を有する一方、当該一方の滑り上面１２に対して鉛直方向Ｖにおいて対面していると共に上軌条部材６３の下面６７に設けられた一対の滑り下面１６及び１７のうちの一方の滑り下面１６に方向Ａ及びＢに滑り移動自在に接触する中間滑り上面２０を有する摺動子８１と、下軌条部材６２の上面６６に設けられた一対の滑り上面１２及び１３のうちの一方の滑り上面１２に方向Ａ及びＢに滑り移動自在に接触する中間滑り下面１９を有する一方、当該一方の滑り上面１２に対して鉛直方向Ｖにおいて対面していると共に上軌条部材６４の下面６８に設けられた一対の滑り下面１６及び１７のうちの一方の滑り下面１６に方向Ａ及びＢに滑り移動自在に接触する中間滑り上面２０を有する摺動子８２とを具備している。
【００２９】
中間支持機構２１と協働して下支持機構１４に対して上支持機構１８を水平方向Ｈのうちの方向Ａ及びＢ並びに鉛直方向Ｖに移動自在に支持している中間支持機構２４は、下軌条部材６１の上面６５に設けられた一対の滑り上面１２及び１３のうちの他方の滑り上面１３に方向Ａ及びＢに滑り移動自在に接触する中間滑り下面２２を有する一方、当該他方の滑り上面１３に対して鉛直方向Ｖにおいて対面していると共に上軌条部材６３の下面６７に設けられた一対の滑り下面１６及び１７のうちの他方の滑り下面１７に方向Ａ及びＢに滑り移動自在に接触する中間滑り上面２３を有する摺動子８３と、下軌条部材６２の上面６６に設けられた一対の滑り上面１２及び１３のうちの他方の滑り上面１３に方向Ａ及びＢに滑り移動自在に接触する中間滑り下面２２を有する一方、当該他方の滑り上面１３に対して鉛直方向Ｖにおいて対面していると共に上軌条部材６４の下面６８に設けられた一対の滑り下面１６及ぶ１７のうちの他方の滑り下面１７に方向Ａ及びＢに滑り移動自在に接触する中間滑り上面２３を有する摺動子８４とを具備している。
【００３０】
摺動子８１、８２、８３及び８４の夫々は、中間滑り下面１９（２２）及び中間滑り上面２０（２３）を具備した略四角柱本体９１と、略四角柱本体９１の方向Ｃ及びＤにおける各端に一体的に形成されていると共に摺動子８１、８２、８３及び８４の夫々の方向Ｃ及びＤの変位を防止する鍔９２とを具備している。
【００３１】
阻止及び生起機構２５は、下軌条部材６１及び６２の夫々の方向Ａの端面に溶接等により固定されていると共に摺動子８１及び８２の夫々の方向Ａの端面９５に接触する板部材１０１及び１０２と、上軌条部材６３及び６４の夫々の方向Ａの端面に溶接等により固定されていると共に摺動子８１及び８２の夫々の方向Ａの端面９５に接触する板部材１０３及び１０４と、下軌条部材６１及び６２の夫々の方向Ｂの端面に溶接等により固定されていると共に摺動子８３及び８４の夫々の方向Ｂの端面９６に接触する板部材１０５及び１０６と、上軌条部材６３及び６４の夫々の方向Ｂの端面に溶接等により固定されていると共に摺動子８３及び８４の夫々の方向Ｂの端面９６に接触する板部材１０７及び１０８とを具備している。
【００３２】
板部材１０１は、摺動子８１の方向Ａの端面９５への接触により、上軌条部材６３に対する下軌条部材６１の方向Ｂの相対的な移動で、下軌条部材６１の滑り上面１２からの方向Ａの摺動子８１の中間滑り下面１９の離脱を阻止する一方、上軌条部材６３の滑り下面１６に対する摺動子８１の中間滑り上面２０の方向Ｂに関する滑りを生起させ、摺動子８１を上軌条部材６３に対して同様に方向Ｂに相対的に移動させるようになっており、板部材１０２は、摺動子８２の方向Ａの端面９５への接触により、上軌条部材６４に対する下軌条部材６２の方向Ｂの相対的な移動で、下軌条部材６２の滑り上面１２からの方向Ａの摺動子８２の中間滑り下面１９の離脱を阻止する一方、上軌条部材６４の滑り下面１６に対する摺動子８２の中間滑り上面２０の方向Ｂに関する滑りを生起させ、摺動子８２を上軌条部材６４に対して同様に方向Ｂに相対的に移動させるようになっており、板部材１０３は、摺動子８１の方向Ａの端面９５への接触により、上軌条部材６３に対する下軌条部材６１の方向Ａの相対的な移動で、上軌条部材６３の滑り下面１６からの方向Ａの摺動子８１の中間滑り上面２０の離脱を阻止する一方、下軌条部材６１の滑り上面１２に対する摺動子８２の中間滑り下面１９の方向Ｂに関する滑りを生起させ、摺動子８１を下軌条部材６１に対して方向Ｂに相対的に移動させるようになっており、板部材１０４は、摺動子８２の方向Ａの端面９５への接触により、上軌条部材６４に対する下軌条部材６２の方向Ａの相対的な移動で、上軌条部材６４の滑り下面１６からの方向Ａの摺動子８２の中間滑り上面２０の離脱を阻止する一方、下軌条部材６２の滑り上面１２に対する摺動子８２の中間滑り下面１９の方向Ｂに関する滑りを生起させ、摺動子８２を下軌条部材６２に対して方向Ｂに相対的に移動させるようになっている。
【００３３】
板部材１０５は、摺動子８３の方向Ｂの端面９６への接触により、上軌条部材６３に対する下軌条部材６１の方向Ａの相対的な移動で、下軌条部材６１の滑り上面１３からの方向Ｂの摺動子８３の中間滑り下面２２の離脱を阻止する一方、上軌条部材６３の滑り下面１７に対する摺動子８３の中間滑り上面２３の方向Ａに関する滑りを生起させ、摺動子８３を上軌条部材６３に対して同様に方向Ａに相対的に移動させるようになっており、板部材１０６は、摺動子８４の方向Ｂの端面９６への接触により、上軌条部材６４に対する下軌条部材６２の方向Ａの相対的な移動で、下軌条部材６２の滑り上面１３からの方向Ｂの摺動子８４の中間滑り下面２２の離脱を阻止する一方、上軌条部材６４の滑り下面１７に対する摺動子８４の中間滑り上面２３の方向Ａに関する滑りを生起させ、摺動子８４を上軌条部材６４に対して同様に方向Ａに相対的に移動させるようになっており、板部材１０７は、摺動子８３の方向Ｂの端面９６への接触により、上軌条部材６３に対する下軌条部材６１の方向Ｂの相対的な移動で、上軌条部材６３の滑り下面１７からの方向Ｂの摺動子８３の中間滑り上面２３の離脱を阻止する一方、下軌条部材６１の滑り上面１３に対する摺動子８３の中間滑り下面２２の方向Ａに関する滑りを生起させ、摺動子８３を下軌条部材６１に対して方向Ａに相対的に移動させるようになっており、板部材１０８は、摺動子８４の方向Ｂの端面９６への接触により、上軌条部材６４に対する下軌条部材６２の方向Ｂの相対的な移動で、上軌条部材６４の滑り下面１７からの方向Ｂの摺動子８４の中間滑り上面２３の離脱を阻止する一方、下軌条部材６２の滑り上面１３に対する摺動子８４の中間滑り下面２２の方向Ａに関する滑りを生起させ、摺動子８４を下軌条部材６２に対して方向Ａに相対的に移動させるようになっている。
【００３４】
以上の免震支持装置１では、地震等が生じていなく、床２に対して中間基台３及び機械台５が水平面Ｈ内で方向Ａ及びＢ並びに方向Ｃ及びＤのいずれの方向にも変位していない場合（図１から図６に示す場合）には、図１から図５に示すように、摺動子８１は、端面９５で板部材１０１及び１０３に、摺動子８２は、端面９５で板部材１０２及び１０４に、摺動子８３は、端面９６で板部材１０５及び１０７に、そして、摺動子８４は、端面９６で板部材１０６及び１０８に夫々接触しており、この状態で、例えば、図９及び図１０に示すように、中間基台３及び機械台５に対して床２が地震等により相対的に方向Ａに移動すると、板部材１０１及び１０３に接触する摺動子８１は、当該板部材１０３によるその中間滑り上面２０の上軌条部材６３の滑り下面１６からの離脱の回避と共に当該板部材１０３で床２に対して相対的に方向Ｂに押されて、板部材１０１から方向Ｂに離れ、端面９５で板部材１０３に接触したままでその中間滑り下面１９で下軌条部材６１の滑り上面１２を相対的に方向Ｂに滑って床２に対して相対的に方向Ｂに移動され、板部材１０２及び１０４に接触する摺動子８２は、当該板部材１０４によるその中間滑り上面２０の上軌条部材６４の滑り下面１６からの離脱の回避と共に当該板部材１０４で床２に対して相対的に方向Ｂに押されて、板部材１０２から方向Ｂに離れ、端面９５で板部材１０４に接触したままでその中間滑り下面１９で下軌条部材６２の滑り上面１２を相対的に方向Ｂに滑って床２に対して相対的に方向Ｂに移動される一方、板部材１０５及び１０７に接触する摺動子８３は、当該板部材１０５によるその中間滑り下面２２の下軌条部材６１の滑り上面１３からの離脱の回避と共に当該板部材１０５で方向Ａに押されて、板部材１０７から方向Ａに離れ、端面９６で板部材１０５に接触したままでその中間滑り上面２３で上軌条部材６３の滑り下面１７を方向Ａに滑って床２と共に方向Ａに移動され、板部材１０６及び１０８に接触する摺動子８４は、当該板部材１０６によるその中間滑り下面２２の下軌条部材６２の滑り上面１３からの離脱の回避と共に当該板部材１０６で方向Ａに押されて、板部材１０８から方向Ａに離れ、端面９６で板部材１０６に接触したままでその中間滑り上面２３で上軌条部材６４の滑り下面１７を方向Ａに滑って床２と共に方向Ａに移動される。
【００３５】
斯かる摺動子８１及び８２の相対的な方向Ｂの移動並びに摺動子８３及び８４の方向Ａの移動で、中間基台３及び機械台５が鉛直方向Ｖにおいて上昇される。
【００３６】
中間基台３及び機械台５に対しての床２の地震等による方向Ａの移動に起因する摺動子８１、８２、８３及び８４の移動で、中間基台３及び機械台５が鉛直方向Ｖにおいて上昇された後に、中間基台３及び機械台５に対して床２が地震等により方向Ａとは逆の方向Ｂに移動すると、中間滑り下面１９での下軌条部材６１の滑り上面１２に対する摺動子８１の滑り移動及び中間滑り下面１９での下軌条部材６２の滑り上面１２に対する摺動子８２の滑り移動並びに中間滑り上面２３での上軌条部材６３の滑り下面１７に対する摺動子８３の滑り移動及び中間滑り上面２３での上軌条部材６４の滑り下面１７に対する摺動子８４の滑り移動を介して、下軌条部材６１及び６２は、床２の方向Ｂの移動と共に中間基台３及び機械台５に対して方向Ｂに移動されて、摺動子８１及び８２並びに摺動子８３及び８４と共に図１から図５に示すように元の位置に復帰される。
【００３７】
斯かる摺動子８１及び８２並びに摺動子８３及び８４の元の位置への復帰で、中間基台３及び機械台５の鉛直方向Ｖにおける上昇が解除される。
【００３８】
下軌条部材６１及び６２の元の位置への復帰後、中間基台３及び機械台５に対して床２が地震等により更に方向Ｂに移動すると、摺動子８１は、板部材１０１によるその中間滑り下面１９の下軌条部材６１の滑り上面１２からの離脱の回避と共に当該板部材１０１で方向Ｂに押されて、板部材１０３から方向Ｂに離れ、端面９５で板部材１０１に接触したままでその中間滑り上面２０で上軌条部材６３の滑り下面１６を滑って床２と共に方向Ｂに移動され、摺動子８２は、板部材１０２によるその中間滑り下面１９の下軌条部材６２の滑り上面１２からの離脱の回避と共に当該板部材１０２で方向Ｂに押されて、板部材１０４から方向Ｂに離れ、端面９５で板部材１０２に接触したままでその中間滑り上面２０で上軌条部材６４の滑り下面１６を滑って床２と共に方向Ｂに移動される一方、摺動子８３は、板部材１０７によるその中間滑り上面２３の上軌条部材６３の滑り下面１７からの離脱の回避と共に当該板部材１０７で床２に対して相対的に方向Ａに押されて、板部材１０５から方向Ａに離れ、端面９６で板部材１０７に接触したままでその中間滑り下面２２で下軌条部材６１の滑り上面１３を滑って床２に対して相対的に方向Ａに移動され、摺動子８４は、板部材１０８によるその中間滑り上面２３の下軌条部材６２の滑り上面１３からの離脱の回避と共に当該板部材１０８で床２に対して相対的に方向Ａに押されて、板部材１０６から方向Ａに離れ、端面９６で板部材１０８に接触したままでその中間滑り下面２２で下軌条部材６２の滑り上面１３を滑って床２に対して相対的に方向Ａに移動される。
【００３９】
斯かる摺動子８１及び８２の方向Ｂの移動並びに摺動子８３及び８４の相対的な方向Ａの移動でも、中間基台３及び機械台５が鉛直方向Ｖにおいて上昇される。
【００４０】
中間基台３及び機械台５に対しての床２の地震等による方向Ｂの移動に起因する摺動子８１、８２、８３及び８４の移動で、中間基台３及び機械台５が鉛直方向Ｖにおいて上昇された後に、中間基台３及び機械台５に対して床２が地震等により方向Ｂとは逆の方向Ａに移動すると、中間滑り上面２０での上軌条部材６３の滑り下面１６に対する摺動子８１の滑り移動及び中間滑り上面２０での上軌条部材６４の滑り下面１６に対する摺動子８２の滑り移動並びに中間滑り下面２２での下軌条部材６１の滑り上面１３に対する摺動子８３の滑り移動及び中間滑り下面２２での下軌条部材６２の滑り上面１３に対する摺動子８４の滑り移動を介して下軌条部材６１及び６２は、床２の方向Ａの移動と共に中間基台３及び機械台５に対して方向Ａに移動されて、摺動子８１及び８２並びに摺動子８３及び８４と共に図１から図５に示すように元の位置に復帰される。
【００４１】
地震等による床２の方向Ａ及びＢの移動、即ち、振動で下側免震支持装置４は、以上の動作を繰り返して、地震等による床２の方向Ａ及びＢの振動の終息で、図１から図５に示す状態に戻され、そして、下側免震支持装置４では、中間基台３及び機械台５に対する床２の方向Ａ及びＢの繰り返し変位（振動）エネルギは、中間基台３及び機械台５の鉛直方向Ｖの位置エネルギに変換される結果、中間基台３及び機械台５は、床２の方向Ａ及びＢの繰り返し変位に対して免震される一方、中間基台３及び機械台５に対する床２の方向Ａ及びＢの繰り返し変位での摺動子８１、８２、８３及び８４と、下軌条部材６１及び６２並びに上軌条部材６３及び６４との間の滑り抵抗（摩擦抵抗）に起因する中間基台３及び機械台５の方向Ａ及びＢの繰り返し変位（水平地震動）は、地震等の終息で、これら摩擦抵抗に起因する発熱で減衰される。
【００４２】
上側免震支持装置６は、地震等による床２の方向Ｃ及びＤの振動での中間基台３の機械台５に対して、地震等による床２の方向Ａ及びＢの振動での下側免震支持装置４の中間基台３に対する動作と同様に動作し、而して、免震支持装置１は、下側免震支持装置４と上側免震支持装置６との協働で、地震等による床２の方向Ａ及びＢ並びに方向Ｃ及びＤの振動で機械台５に対して免震動作を行う。
【００４３】
そして、免震支持装置１によれば、一対の滑り上面１２及び１３を有する下支持機構１４と、鉛直方向Ｖにおいて当該一対の滑り上面１２及び１３の夫々に対面している一対の滑り下面１６及び１７を有する上支持機構１８と、一対の滑り上面１２及び１３の夫々に方向Ａ及びＢに滑り移動自在に接触する中間滑り下面１９及び２２を有する一方、当該一対の滑り上面１２及び１３の夫々に対して鉛直方向Ｖにおいて対面している一対の滑り下面１６及び１７の夫々に滑り移動自在に接触する中間滑り上面２０及び２３を有する中間支持機構２１及び２４とを具備している結果、中間基台３の下面７８の下方に、下支持機構１４と上支持機構１８と中間支持機構２１及び２４とを配置でき、而して、見栄えのよい上に専有空間を小さくでき、長期に亘って方向Ａ及びＢに関しての免震機能を発揮し得て中間基台３を適切に免震支持し得る。
【００４４】
加えて、免震支持装置１によれば、下側免震支持装置４に加えて、下側免震支持装置４と同様の上側免震支持装置６を具備しているために、下側免震支持装置４と同様に、機械台５の下面の下方に、下支持機構３４と上支持機構３８と中間支持機構４１及び４４とを配置でき、而して、見栄えのよい上に専有空間を小さくでき、長期に亘って方向Ａ及びＢに加えて方向Ｃ及びＤに関しての、言い換えると、水平方向Ｈにおける全方向の免震機能を発揮し得て機械台５を適切に免震支持し得る。
【００４５】
免震支持装置１では、機械台５に対して下側免震支持装置４と上側免震支持装置６とで水平方向Ｈにおける全方向の免震機能が生じるようにしたが、機械台５に対して方向Ａ及びＢに関してのみ又は機械台５に対して方向Ｃ及びＤに関してのみの免震機能が生じるようにしてもよく、この場合には、上側免震支持装置６を省いて、中間基台３に代えて、機械台５を下側免震支持装置４で直接に免震支持するようにすればよい。
【００４６】
加えて、免震支持装置１では、中間基台３に対しての床２の地震等による相対的な方向Ａ及びＢの最大の変位よりも一対の滑り上面１２及び１３並びに一対の滑り下面１６及び１７の水平方向Ｈの長さが充分に長い場合には、中間基台３に対しての床２の地震等による方向Ａ及びＢの移動で摺動子８１及び８２並びに摺動子８３及び８４が一対の滑り上面１２及び１３並びに一対の滑り下面１６及び１７を外れて中央板部１１の上面及び中央板部１５の下面に至ることはなく、摺動子８１及び８２並びに摺動子８３及び８４に対する原点自動復帰機能（地震の収束後に、図１から図４に示す位置に自動的に摺動子８１及び８２並びに摺動子８３及び８４が復帰する機能）は維持されるが、逆に、中間基台３に対しての床２の地震等による相対的な方向Ａ及びＢの最大の変位よりも一対の滑り上面１２及び１３並びに一対の滑り下面１６及び１７の水平方向Ｈの長さが充分に短い場合には、中間基台３に対しての床２の地震等による方向Ａ及びＢの移動で摺動子８１及び８２並びに摺動子８３及び８４が一対の滑り上面１２及び１３並びに一対の滑り下面１６及び１７を外れて中央板部１１の上面及び中央板部１５の下面に至り、摺動子８１及び８２並びに摺動子８３及び８４に対する原点自動復帰機能が阻害される虞が有るので、斯かる場合には、例えば、中央板部１１の上面の方向Ａ及びＢの端部並びに中央板部１５の下面の方向Ａ及びＢの端部又は中央板部１１の上面の手前の一対の滑り上面１２及び１３並びに中央板部１５の下面の手前の一対の滑り下面１６及び１７に夫々阻止部材を取付け、この阻止部材により、中間基台３に対しての床２の地震等による方向Ａ及びＢの移動で摺動子８１及び８２並びに摺動子８３及び８４が一対の滑り上面１２及び１３並びに一対の滑り下面１６及び１７から外れて中央板部１１の上面及び中央板部１５の下面に至る手間で、摺動子８１及び８２並びに摺動子８３及び８４のそれ以上の移動が阻止されるようにしてもよい。
【００４７】
斯かる阻止部材を一対の滑り上面３２及び３３並びに一対の滑り下面３６及び３７に関しても設けてもよい。
【符号の説明】
【００４８】
１  免震支持装置
２  床
３  中間基台
４  下側免震支持装置
５  機械台
６  上側免震支持装置
１１、１５  中央板部
１２、１３  滑り上面
１４  下支持機構
１６、１７  滑り下面
１８  上支持機構
１９、２２  中間滑り下面
２０、２３  中間滑り上面
２１、２４  中間支持機構
【図１】
2019019933.tif 000003
【図２】
2019019933.tif 000004
【図３】
2019019933.tif 000005
【図４】
2019019933.tif 000006
【図５】
2019019933.tif 000007
【図６】
2019019933.tif 000008
【図７】
2019019933.tif 000009
【図８】
2019019933.tif 000010
【図９】
2019019933.tif 000011
【図１０】
2019019933.tif 000012